(57)【特許請求の範囲】
【請求項１】
テレビドアホン（１）およびテレビインターホン親機（２）を備えたテレビドアホン装置であって、
前記テレビドアホンは、映像を撮影するテレビカメラ（１０３）と、前記テレビインターホン親機を呼び出す呼び出しボタン（１０２）と、ドア（３）の電気錠解錠のための暗証番号を入力する暗証番号入力装置として前記テレビカメラの前面パネルの一画面上において押下される暗証番号入力部（１０１）とを有し、
前記テレビインターホン親機は、前記映像信号の中の輝度信号によりどの暗証番号が押下されたかを認識する位置認識回路（２１０）を有することを特徴とするテレビドアホン装置。
【発明の詳細な説明】
【０００１】
【発明の属する技術分野】
本発明はテレビドアホン装置に係わり、映像の撮影機能を有するテレビカメラと、ドアを開錠させるための暗証番号入力部とを一体化させたテレビドアホン装置に関する。
【０００２】
【従来の技術】
従来から、この種のテレビドアホン装置として、図３、図４に示す構成のテレビドアホン装置が提案されている。
図３に示すテレビドアホン装置は、住戸内（屋内）に設置されるモニタ６０１、電気錠解錠ボタン６０２、ハンドセット６０３から成るテレビインターホン親機６と、住戸外（屋外）の住戸玄関に設置され、電気錠駆動部７０１、ドアノブ７０２から成るドア７と、呼び出しボタン４０１、ＣＣＤカメラ４０２、音声入出力部４０３から成るテレビドアホン４と、暗証番号入力ボタン５０１から成る暗証番号入力部５とで構成されている。また、テレビドアホン４、暗証番号入力部５、ドア７は、それぞれ適宜な方法でテレビインターホン親機６に接続されている。
【０００３】
このように構成された図３に示すテレビドアホン装置において、ドア７の電気錠を開錠するための電気錠駆動部７０１を動作させるためには、住戸外（屋外）からは、暗証番号入力部５の蓋を開け、暗証番号入力ボタン５０１を適宜な方法で押下操作することにより、住戸内（屋内）からは、テレビインターホン親機６の電気錠解錠ボタン６０２を押下することにより、それぞれドア７の電気錠を解錠することができる。また、ドア７の電気錠を解錠後に、ドア７のドアノブ７０２を廻す、若しくは引く動作によりドア７を開放することができる。
【０００４】
また、来訪者等がテレビドアホン４の呼び出しボタン４０１を押下し、住戸内（屋内）のテレビインターホン親機６を使用する居住者を呼び出すことにより、テレビドアホン４のＣＣＤカメラ４０２で撮影された来訪者等の映像が、テレビインターホン親機６のモニタ６０１に映し出され再生され、居住者がハンドセット６０３を取り上げるような応対操作を行うことにより、テレビインターホン親機６のハンドセット６０３と、テレビドアホン４の音声入出力部４０３間において、音声による通話が可能となる。
【０００５】
図４に示すテレビドアホン装置は、図３と同様な構成のテレビインターホン親機６およびドア７と、住戸外（屋外）の住戸玄関に設置される暗証番号入力ボタン８０１、呼び出しボタン８０２、ＣＣＤカメラ８０３、音声入出力部８０４から成る暗証番号入力ボタン付テレビドアホン８とで構成されている。また、ドア７、暗証番号入力ボタン付テレビドアホン８は、それぞれ適宜な方法でテレビインターホン親機６に接続されている。
【０００６】
このように構成された図４に示すテレビドアホン装置において、ドア７の電気錠を開錠するための電気錠駆動部７０１を動作させるためには、住戸外（屋外）からは、暗証番号入力ボタン付テレビドアホン８の暗証番号入力ボタン８０１を適宜な方法で押下操作することにより、住戸内（屋内）からは、テレビインターホン親機６の電気錠解錠ボタン６０２を押下することにより、それぞれドア７の電気錠を解錠することができる。また、ドア７の電気錠を解錠後に、ドア７のドアノブ７０２を廻す、若しくは引く動作によりドア７を開放することができる。
【０００７】
また、来訪者等が暗証番号入力ボタン付テレビドアホン８の呼び出しボタン８０２を押下し、住戸内（屋内）のテレビインターホン親機６を使用する居住者を呼び出すことにより、暗証番号入力ボタン付テレビドアホン８のＣＣＤカメラ８０３で撮影された来訪者等の映像が、テレビインターホン親機６のモニタ６０１に映し出され再生され、居住者がハンドセット６０３を取り上げるような応対操作を行うことにより、テレビインターホン親機６のハンドセット６０３と、暗証番号入力ボタン付テレビドアホン８の音声入出力部８０４間において、音声による通話が可能となる。
【０００８】
【発明が解決しようとする課題】
しかしながら、従来のテレビドアホン装置は、以上のように構成されているので、図３に示すテレビドアホン装置において、テレビドアホン４と暗証番号入力装置５とを住戸玄関に設置する際には、その設置場所を２個所確保する必要があり、施工時および配線時における所要時間、および住戸玄関に確保される設置場所の面積等が、１つのものと比べると約２倍必要であるといった難点があった。
【０００９】
また、図４に示すテレビドアホン装置において、テレビドアホン機能と暗証番号入力機能が一体化された暗証番号入力ボタン付テレビドアホン８を住戸玄関に設置する際にも、その配線数および住戸玄関に確保される設置場所の面積は、上述の図３に示す２個所設置した場合と同じ程度（数）必要であるといった難点があった。
【００１０】
この発明は上述の難点を解消するためになされたもので、住戸玄関に設置されるテレビドアホンを成し映像撮影機能を有するテレビカメラと、ドアの電気錠を解錠させるための暗証番号入力部とを一体化させ付加することにより、テレビドアホンの小型化が図れ、テレビドアホンの施工時における配線数、および住戸玄関を占有する設置面積をそれぞれ低減することが可能なテレビドアホン装置を提供することを目的とする。
【００１１】
【課題を解決するための手段】
このような目的を達成するため、本発明によるテレビドアホン装置は、テレビドアホンおよびテレビインターホン親機を備えたテレビドアホン装置であって、テレビドアホンは、映像を撮影するテレビカメラと、テレビインターホン親機を呼び出す呼び出しボタンと、ドアの電気錠解錠のための暗証番号を入力する暗証番号入力装置としてテレビカメラの前面パネルの一画面上において押下される暗証番号入力部とを有し、テレビインターホン親機は、映像信号の中の輝度信号によりどの暗証番号が押下されたかを認識する位置認識回路を有するものである。
【００１２】
このようなテレビドアホン装置によれば、暗証番号の入力部と映像の撮影機能を有するテレビカメラとを一体化させることにより、住戸玄関に別途に暗証番号の入力部（入力装置）を設置する必要がないことから、テレビドアホンの小型化が図れ、施工時における暗証番号の入力部（入力装置）用の配線も不要となる。また、暗証番号の信号はテレビカメラから出力される映像信号に含有される輝度信号から検出することができる。
【００１３】
【発明の実施の形態】
以下、本発明によるテレビドアホン装置を適用した好ましい形態例を、一実施例として図面を参照して説明する。
図１は、本発明によるテレビドアホン装置の一実施例を示す全体構成図であり、住戸内（屋内）に設置されるテレビインターホン親機２と、住戸外（屋外）の住戸玄関に設置され、テレビインターホン親機２に適宜な方法で接続されたテレビドアホン１、ドア３とで構成されている。
【００１４】
テレビドアホン１は、来訪者等がテレビインターホン親機２を使用する居住者を呼び出すために任意時間内に１回押下する、または暗証番号入力起動ボタンを兼ね任意時間内に２回押下されたときに暗証番号入力起動ボタンとなる機能を有する呼び出しボタン１０２と、来訪者等の映像を撮影するテレビカメラ１０３と、ドア３の電気錠を解錠するために押下される暗証番号を構成する０〜９までの数字がテレビカメラ１０３の前面パネルを囲うように配置された暗証番号入力部１０１と、暗証番号入力部１０１の４辺に配置され、テレビカメラ１０３で撮影される来訪者等の映像や、暗証番号入力部１０１の数字（０〜９）のエリアの輝度が均等になるように点灯するライト１０５と、テレビインターホン親機２を使用する居住者との音声による通話を可能にするために来訪者等が用いる音声入出力部１０４とで構成されている。
【００１５】
テレビインターホン親機２は、テレビドアホン１のテレビカメラ１０３で撮影される来訪者等の映像を映し出し再生するモニタ２０１と、ドア３の電気錠を解錠するために押下される電気錠解錠ボタン２０２と、テレビドアホン１の音声入出力部１０４を用いる来訪者等との音声による通話を可能にするために居住者が用いるハンドセット２０３とで構成されている。
【００１６】
ドア３は、テレビインターホン親機２の電気錠解錠ボタン２０２が押下された際に出力される電気錠解錠信号により、モータを用いて解錠動作する電気錠駆動部３０１と、ドア３の開閉を行うドアノブ３０２とで構成されている。
図２は、図１の全体構成図に示すテレビドアホン１とテレビインターホン親機２の具体的な構成を示すブロック図である。
【００１７】
テレビドアホン１は、光を透過するガラスのようなものの上に蛍光塗料で数字と境界線が示されている（図示せず）暗証番号入力部１０１と、暗証番号入力部１０１全体を撮像し、暗証番号入力部１０１上において居住者等の指により押下された画素位置を的確に捕らえられる程度に広角する広角レンズ１０７と、通常のテレビドアホン同様に焦点を来訪者等の被写体に合わせる標準レンズ１０８と、待受状態、暗証番号入力状態、呼び出し状態の３つの状態をそれぞれ判断するとともに、後述するテレビカメラ１０３、レンズ制御回路１１３、ライト１０５、データ送受信回路１１０、サウンダ１１１、音声回路１１２の制御を行い、テレビインターホン親機２のＣＰＵ２０５とデータ送受するＣＰＵ１０９と、ＣＣＤおよびドライバを含み、ＣＰＵ１０９からの起動信号により動作開始し、映像信号を出力するテレビカメラ１０３と、ＣＰＵ１０９からの制御により広角レンズ１０７と標準レンズ１０８とを機械的にレンズ交換し、切り替えるレンズ制御回路１１３と、ＣＰＵ１０９からの制御により点灯するライト１０５と、ＣＰＵ１０９からの制御によりデータの変復調、誤り訂正等を行うデータ送受信回路１１０と、ＣＰＵ１０９からの制御により鳴動するサウンダ１１１と、アンプやハイブリッド回路等から成る音声回路１１２と、暗証番号（入力）起動や呼び出し等の動作の主トリガーとなる呼び出しボタン１０２と、テレビカメラ１０３から出力される映像信号を変調して送出する変調回路１０６と、スピーカ１０４ａおよびマイク１０４ｂから成る音声入出力部１０４と、変調回路１０６、データ送受信回路１１０、音声回路１１２からそれぞれ出力される信号やデータを多重化し、テレビインターホン親機２の多重／分離回路２１１へ送出するとともに、テレビインターホン親機２の多重／分離回路２１１から送出され、多重化された信号やデータをフィルタ等を用いて分離し、データ送受信回路１１０、音声回路１１２へそれぞれ送出する多重／分離回路１１４とを備えている。
【００１８】
テレビインターホン親機２は、テレビドアホン１やドア３の電気錠、および後述するモニタ２０１、位置認識回路２１０、データ送受信回路２０６、電気錠インターフェース回路２０７、音声回路２０９のそれぞれの制御を行い、テレビドアホン１のＣＰＵ１０９とデータ送受するＣＰＵ２０５と、復調回路２０８からの映像信号による映像をＣＰＵ２０５からの制御によりＯＮ／ＯＦＦするモニタ２０１と、多重／分離回路２１１からの映像変調信号を復調しモニタ２０１、位置認識回路２１０に映像信号として送出する復調回路２０８と、ディップスイッチ等で暗証番号を設定し、位置認識回路２１０に出力する暗証番号設定回路２０４と、ＣＰＵ２０５からの制御によりＯＮ／ＯＦＦし、復調回路２０８からの映像信号の１フィールド中の輝度の落ちる画素位置を認識した後、どの数字の位置かを検知、記憶し、暗証番号設定回路２０４からの暗証番号との照合結果（結果データ）をＣＰＵ２０５に出力する位置認識回路２１０と、データの変復調、誤り訂正等を行うデータ送受信回路２０６と、ＣＰＵ２０５からの信号を受けてドア３の電気錠に電気錠解錠信号を出力する電気錠インターフェース回路２０７と、ＣＰＵ２０５に電気錠を解錠するよう指示する電気錠解錠ボタン２０２と、アンプやハイブリッド回路等から成る音声回路２０９と、スピーカ２０３ａおよびマイク２０３ｂから成るハンドセット２０３と、データ送受信回路２０６、音声回路２０９からの信号やデータを多重化しテレビドアホン１の多重／分離回路１１４へ送出するとともに、テレビドアホン１の多重／分離回路１１４から多重化され送出された信号やデータをフィルタ等を用いて分離し、復調回路２０８、データ送受信回路２０６、音声回路２０９へそれぞれ送出する多重／分離回路２１１とを備えている。
【００１９】
このように構成されたテレビドアホン装置において、以下、その動作について説明する。
居住者が帰宅等の際に住戸外（屋外）において、ドア３の電気錠を解錠するための暗証番号を入力するために、テレビドアホン１の呼び出しボタン１０２を任意時間内に２回押下することにより、ＣＰＵ１０９が暗証番号入力状態であることを判断することから、ＣＰＵ１０９からの制御により、ライト１０５が点灯され、レンズ制御回路１１３により広角レンズ１０７が機械的に選択されるとともに、ＣＰＵ１０９からの起動信号によりテレビカメラ１０３が動作を開始する。また、ＣＰＵ１０９から暗証番号入力状態であることを報知するためのデータが出力され、データ送受信回路１１０、多重／分離回路１１４、テレビインターホン親機２の多重／分離回路２１１、データ送受信回路２０６を介してテレビインターホン親機２のＣＰＵ２０５に送出されることから、このデータを入力検出したＣＰＵ２０５は、位置認識回路２１０を起動する。
【００２０】
ここで、居住者が、テレビドアホン１の暗証番号入力部１０１を成す任意の番号（０〜９）の画素位置を指で押下すると、広角レンズ１０７を介してテレビカメラ１０３から輝度信号が含有された映像信号が出力され、変調回路１０６、多重／分離回路１１４、テレビインターホン親機２の多重／分離回路２１１、復調回路２０８を介して位置認識回路２１０に送出される。この輝度信号が含有された映像信号を入力した位置認識回路２１０は、どの画素位置の数字が押下されたかを認識記憶した後、暗証番号の１文字目の認識が終わったことを示す信号をＣＰＵ２０５に出力する。また、ＣＰＵ２０５はその信号を、データ送受信回路２０６、多重／分離回路２１１、テレビドアホン１の多重／分離回路１１４、データ送受信回路１１０を介してＣＰＵ１０９に送出することにより、上述の信号を入力検出したＣＰＵ１０９はサウンダ１１１を鳴動させて、来訪者等に暗証番号入力部１０１を用いて次の桁の番号（暗証番号）を押下するように報知する。
【００２１】
上述の暗証番号の入力動作を暗証番号の桁数だけ繰り返した後、テレビインターホン親機２の位置認識回路２１０は、暗証番号設定回路２０４で設定された暗証番号のデータと記憶されたデータの照合を行い、その結果データをＣＰＵ２０５に出力する。ＣＰＵ２０５はその結果データを、データ送受信回路２０６、多重／分離回路２１１、テレビドアホン１の多重／分離回路１１４、データ送受信回路１１０を介してＣＰＵ１０９に送出することから、結果データを入力検出したＣＰＵ１０９はサウンダ１１１を鳴動させて、来訪者等に音（音声）によりドア３が解錠できるか否かを報知する。また、上述の結果データを送出したＣＰＵ２０５は、それと同時に、位置認識回路２１０からの結果が一致した場合には、電気錠インターフェース２０７を介して電気錠解錠信号を出力し、ドア３の電気錠駆動部３０１を制御して電気錠を解錠する。更に、テレビインターホン親機２を使用する居住者が、電気錠解錠ボタン２０２を押下することにより、ＣＰＵ２０５で電気錠解錠の判断がなされ電気錠インターフェース２０７を介して電気錠解錠信号が出力されることから、ドア３の電気錠駆動部３０１が制御され電気錠が解錠されて、暗証番号入力操作によるドアの電気錠解錠が成立する。
【００２２】
次に、来訪者等が住戸外（屋外）において、テレビインターホン親機２を使用する居住者を呼び出すために、テレビドアホン１の呼び出しボタン１０２を任意時間内に１回押下すると、ＣＰＵ１０９がこの呼び出し状態を判断することから、ＣＰＵ１０９からの制御により、レンズ制御回路１１３が標準レンズ１０８を機械的に選択するとともに、ＣＰＵ１０９からの起動信号によりテレビカメラ１０３が動作を開始する。また、ＣＰＵ１０９から呼び出し状態であることを報知するためのデータが出力され、データ送受信回路１１０、多重／分離回路１１４、テレビインターホン親機２の多重／分離回路２１１、データ送受信回路２０６を介してテレビインターホン親機２のＣＰＵ２０５に送出され、このデータを入力検出したＣＰＵ２０５は、モニタ２０１を起動させることから、テレビドアホン１のテレビカメラ１０３で撮影された来訪者等の映像である映像信号は、変調回路１０６、多重／分離回路１１４、テレビインターホン親機２の多重／分離回路２１１、復調回路２０８を介してモニタ２０１に伝送され、モニタ２０１にて映し出され再生される。
【００２３】
ここで、テレビインターホン親機２を使用する居住者が、ハンドセット２０３をテレビインターホン親機２から取り上げるような応答操作を行いオフフック（図示せず）することにより、ハンドセット２０３からＣＰＵ２０５にオフフック信号が出力される。このオフフック信号を入力検出したＣＰＵ２０５は音声回路２０９を起動させ、オフフックデータを、データ送受信回路２０６、多重／分離回路２１１、テレビドアホン１の多重／分離回路１１４、データ送受信回路１１０を介してＣＰＵ１０９に送出することから、オフフックデータを入力検出したＣＰＵ１０９は、音声回路１１２を起動する。よって、テレビインターホン親機２のハンドセット２０３を成すマイク２０３ｂから入力された音声信号は、音声回路２０９、多重／分離回路２１１、テレビドアホン１の多重／分離回路１１４、音声回路１１２を介して音声入出力部１０４を成すスピーカ１０４ａより出力され、同様に、テレビドアホン１の音声入出力部１０４を成すマイク１０４ｂから入力された音声信号は、音声回路１１２、多重／分離回路１１４、テレビインターホン親機２の多重／分離回路２１１、音声回路２０９を介してハンドセット２０３を成すスピーカ２０３ａより出力されることから、同時通話が可能となる。
【００２４】
また、同時通話後に、テレビインターホン親機２を使用する居住者が、ハンドセット２０３をテレビインターホン親機２にオンフック（図示せず）することにより、ハンドセット２０３からＣＰＵ２０５にオンフック信号が出力される。このオンフック信号を入力検出したＣＰＵ２０５は、モニタ２０１、音声回路２０９を待受状態にするとともに、オンフックデータを、データ送受信回路２０６、多重／分離回路２１１、テレビドアホン１の多重／分離回路１１４、データ送受信回路１１０を介してＣＰＵ１０９に送出することから、オンフックデータを入力検出したＣＰＵ１０９は、テレビカメラ１０３、音声回路１１２をそれぞれ待受状態にする。
【００２５】
【発明の効果】
以上の説明から明らかなように、本発明によるテレビドアホン装置によれば、住戸玄関に設置されるテレビドアホンをデータ入力端末のように構成したので、別途にドアの電気錠を開錠するための暗証番号入力部（入力装置）を設ける必要がないことから、住戸玄関の設計上の自由度が向上されるとともに、映像撮影機能を有するカメラ（テレビカメラ）がテレビドアホンに内蔵されていることを来訪者等が判別することは困難であることから、来訪者等が敬遠することなくテレビドアホンの前に立つことができ、防犯性も向上される。
【図面の簡単な説明】
【図１】本発明によるテレビドアホン装置の一実施例を示す全体構成図。
【図２】図１に示すテレビドアホンとテレビインターホン親機を示すブロック図。
【図３】従来のテレビドアホン装置を示す全体構成図。
【図４】従来のテレビドアホン装置を示す全体構成図。
【符号の説明】
１・・・・・テレビドアホン
２・・・・・テレビインターホン親機
３・・・・・ドア
１０１・・・・・暗証番号入力部
１０２・・・・・呼び出しボタン
１０３・・・・・テレビカメラ
２１０・・・・位置認識回路
【図１】
0003586094.tif 000002
【図２】
0003586094.tif 000003
【図３】
0003586094.tif 000004
【図４】
0003586094.tif 000005